(57)【要約】【課題】画素のトランジスターの耐圧を下げつつ、階調電位に必要な時間を確保する。【解決手段】駆動回路４０は、第１期間Ｗ１において偶数番目と奇数番目の走査線の組みを順次選択しオフ電位Ｖoffを書き込み、第２期間Ｗ２において偶数番目と奇数番目の走査線の組みを順次選択し、奇数行と偶数行の画素に奇数行の画像に応じた階調電位を書き込み、第３期間Ｗ３において偶数番目の走査線を順次選択し、偶数行の画像に応じた階調電位を書き込む。共通電位供給回路６０は、第１期間Ｗ１と第２期間Ｗ２との間の極性反転期間において、共通電位Ｖcomの極性を反転する。【選択図】図１
2014063013.tif 000002
【特許請求の範囲】
【請求項１】
第１期間、前記第１期間より後の第２期間、及び前記第２期間より後の第３期間を含むフレーム期間ごとに画像を表示する電気光学装置であって、
複数の走査線と、
複数のデータ線と、
前記複数の走査線と前記複数のデータ線との交差に対応して設けられた複数の画素と、
前記複数の走査線の一の走査線の選択に同期して、前記複数の画素のうち前記データ線を介してデータ電位を前記一の走査線に対応する画素に供給する駆動回路と、
基準電位を基準として共通電極に供給する共通電位の極性を反転させる共通電位供給回路と、を備え、
前記複数の画素の各々は、画素電極と、前記共通電位が供給される共通電極と、前記画素電極と前記共通電極とで駆動される液晶と、前記一の走査線の選択に応じて前記画素電極と前記複数のデータ線のうち一のデータ線とを電気的に接続するトランジスターと、を有し、
前記駆動回路は、
前記第１期間において、前記複数の走査線のうち、隣り合う奇数番目の走査線と偶数番目の走査線との組みを順次選択して、前記隣り合う奇数番目の走査線と偶数番目の走査線の両方の走査線に対応する画素にオフ電位を前記データ電位として、前記両方の走査線に対応する画素に同時に書き込み、
前記第２期間において、前記複数の走査線のうち、隣り合う奇数番目の走査線と偶数番目の走査線との組みを順次選択して、前記奇数番目の走査線及び前記偶数番目の走査線のうち一方の走査線に対応する画素で表示すべき階調に応じた階調電位を前記データ電位として、前記奇数番目の走査線及び前記偶数番目の走査線の両方の走査線に対応する画素に同時に書き込み、
前記第３期間において、前記奇数番目の走査線及び前記偶数番目の走査線のうち他方の走査線を順次選択して、前記他方の走査線に対応する画素に、当該画素で表示すべき階調に応じた階調電位を前記データ電位として書き込み、
前記共通電位供給回路は、前記第１期間が終了してから前記第２期間が開始するまでの間に前記共通電位の極性を反転させる、
ことを特徴とする電気光学装置。
【請求項２】
前記複数の画素に光を照射する光源と、
前記光源の輝度を制御する制御回路と、を備え、
前記第１期間の開始から前記第２期間の終了までの期間の一部又は全部を第１制御期間、前記フレーム期間のうち前記第1制御期間以外の期間を第２制御期間としたとき、
前記制御回路は、前記第１制御期間における前記画素に照射される光の輝度が前記第２制御期間と比較して低くなるように前記光源を制御する、
ことを特徴とする請求項１に記載の電気光学装置。
【請求項３】
前記フレーム期間は第４期間を含み、
前記駆動回路は、前記第４期間において、前記複数の走査線を順次選択して、選択した走査線に対応する画素に、当該画素で表示すべき階調に応じた階調電位を前記データ電位として書き込む、
ことを特徴とする請求項１に記載の電気光学装置。
【請求項４】
前記複数の画素に光を照射する光源と、
前記光源の輝度を制御する制御回路とを備え、
前記第１期間の開始から前記第３期間の終了までの期間の一部又は全部を第１制御期間、前記フレーム期間のうち前記第1制御期間以外の期間を第２制御期間としたとき、
前記制御回路は、前記第１制御期間における前記画素に照射される光の輝度が前記第２制御期間と比較して低くなるように前記光源を制御する、
ことを特徴とする請求項３に記載の電気光学装置。
【請求項５】
前記制御回路は、前記光源の輝度を一定とする通常モードと、前記光源の輝度を前記第１制御期間及び前記第２制御期間で調整する調光モードとを切り替え可能であることを特徴とする請求項２又は４に記載の電気光学装置。
【請求項６】
前記フレーム期間は第４期間及び第５期間を含み、右眼用シャッターと左眼用シャッターとを含む立体視用眼鏡で立体視される右眼用画像および左眼用画像を表示し、
前記右眼用シャッター及び前記左眼用シャッターを制御する眼鏡制御回路を備え、
前記駆動回路は、
前記第４期間において、隣り合う奇数番目の走査線と偶数番目の走査線との組みを順次選択して、奇数番目の走査線及び偶数番目の走査線のうち一方の走査線に対応する画素で表示すべき階調に応じた階調電位を前記データ電位として、両方の走査線に対応する画素に同時に書き込み、
前記第５期間において、奇数番目の走査線及び偶数番目の走査線のうち他方の走査線を順次選択して、前記他方の走査線に対応する画素に、当該画素で表示すべき階調に応じた階調電位を前記データ電位として書き込み、
前記第２期間及び前記第３期間において前記画素に書き込む階調電位は、前記右眼用画像及び前記左眼用画像の一方であり、
前記第４期間及び前記第５期間において前記画素に書き込む階調電位は、前記右眼用画像及び前記左眼用画像の他方であり、
前記眼鏡制御回路は、
前記右眼用シャッター及び前記左眼用シャッターのうち一方のシャッターを、あるフレーム期間の前記第５期間の開始において閉状態から開状態に遷移させ、次のフレーム期間の前記第４期間の開始において開状態から閉状態に遷移させ、
前記右眼用シャッター及び前記左眼用シャッターのうち他方のシャッターを、前記あるフレーム期間の前記第４期間の開始において開状態から閉状態に遷移させ、前記次のフレーム期間の前記第５期間の開始において閉状態から開状態に遷移させる、
ことを特徴とする請求項１に記載の電気光学装置。
【請求項７】
請求項１乃至５うち、いずれか１項に記載の電気光学装置を備えたことを特徴とする電子機器。
【請求項８】
第１期間、前記第１期間より後の第２期間、及び前記第２期間より後の第３期間を含むフレーム期間ごとに画像を表示し、複数の走査線と、複数のデータ線と、前記走査線と前記データ線との交差に対応して設けられた複数の画素とを備え、前記複数の画素の各々は、画素電極と、前記共通電位が供給される共通電極と、前記画素電極と前記共通電極とで駆動される液晶と、前記一の走査線の選択に応じて前記画素電極と前記複数のデータ線のうち一のデータ線とを電気的に接続するトランジスターとを有する電気光学装置の駆動方法であって、
前記第１期間において、前記複数の走査線のうち、隣り合う奇数番目の走査線と偶数番目の走査線との組みを順次選択して、前記隣り合う奇数番目の走査線と偶数番目の走査線の両方の走査線に対応する画素にオフ電位を前記データ電位として、前記両方の走査線に対応する画素に同時に書き込み、
前記第１期間が終了してから前記第２期間が開始するまでの間に前記共通電位の極性を反転させ、
前記第２期間において、前記複数の走査線のうち、隣り合う奇数番目の走査線と偶数番目の走査線との組みを順次選択して、前記奇数番目の走査線及び前記偶数番目の走査線のうち一方の走査線に対応する画素で表示すべき階調に応じた階調電位を前記データ電位として、前記奇数番目の走査線及び前記偶数番目の走査線の両方の走査線に対応する画素に同時に書き込み、
前記第３期間において、前記奇数番目の走査線及び前記偶数番目の走査線のうち他方の走査線を順次選択して、前記他方の走査線に対応する画素に、当該画素で表示すべき階調に応じた階調電位を前記データ電位として書き込む、
ことを特徴とする電気光学装置の駆動方法。
【発明の詳細な説明】
【技術分野】
【０００１】
本発明は、画像を表示する技術に関連する。
【背景技術】
【０００２】
液晶表示装置には、複数の走査線と、複数のデータ線と、各走査線と各データ線と交差に対応して複数の画素が設けられている。画素は、画素電極、共通電極、画素電極及び共通電極に挟持される液晶素子と、画素電極とデータ線との間に設けられ、走査線に供給される走査信号によってオン・オフが制御されるトランジスターとを備えるのが一般的である。このような液晶表示装置において、液晶の焼き付きを防止するため、交流駆動が採用される。交流駆動では、共通電極に一定の共通電位を供給する一方、共通電位を基準として画素電極に供給する表示すべき階調に応じたデータ電位の極性を周期的に反転させる。この方式では、データ電位の最大値をＶmaxとし、共通電位をＶcomとすると、図１７（Ａ）に示すようにデータ線にデータ電位を供給する駆動回路及び選択トランジスターには、２｜Ｖmax−Ｖcom｜の耐圧が必要となる。
駆動回路の耐圧を下げるために、基準電位を中心として共通電位Ｖcomの極性を反転させる方式が知られている（例えば、特許文献１）。この方式によれば、駆動回路の耐圧は図１７（Ｂ）に示すように｜Ｖmax−Ｖcom｜で足りる。
【先行技術文献】
【特許文献】
【０００３】
【特許文献１】特開２００２−４１００３号公報
【発明の概要】
【発明が解決しようとする課題】
【０００４】
ところで、特許文献１の技術では、図１７（Ｂ）に示すようにトランジスターの耐圧は、３｜Ｖmax−Ｖcom｜となってしまう。このため、共通電位Ｖcomの極性反転の前に、各画素に共通電位Ｖcomを書き込むことが考えられる。
ここで、交流駆動の周期を維持するためには、第１に、走査速度を２倍以上とする必要がある。第２に、それぞれの走査ライン上のデータに着目すると、共通電位Ｖcomの書き込みに伴うオフデータを表示している期間が１垂直走査期間必要となる。この結果、ノーマリブラックの液晶では明るさが損なわれ、ノーマリホワイトの液晶では、コントラストが損なわれる。これらの影響を少なくするためには、さらに１垂直走査期間を短縮する必要がある。このため、各画素への書き込みに必要な時間を短縮する必要がある。
しかしながら、書き込み時間の短縮には、パネル内の各配線時定数の縮小、駆動回路の駆動能力の拡大、セトリングタイムの短縮等の技術課題も多く、実現が困難であった。
【０００５】
以上の事情を考慮して、本発明は、選択トランジスターで必要とされる耐圧を下げつつ、画素への書き込みに必要な時間を確保すること等を解決課題とする。
【課題を解決するための手段】
【０００６】
本発明に係る電気光学装置の一態様は、第１期間、前記第１期間より後の第２期間、及び前記第２期間より後の第３期間を含むフレーム期間ごとに画像を表示するものであって、複数の走査線と、複数のデータ線と、前記複数の走査線と前記複数のデータ線との交差に対応して設けられた複数の画素と、前記複数の走査線の一の走査線の選択に同期して、前記複数の画素のうち前記データ線を介してデータ電位を前記一の走査線に対応する画素に供給する駆動回路と、基準電位を基準として共通電極に供給する共通電位の極性を反転させる共通電位供給回路と、を備え、前記複数の画素の各々は、画素電極と、前記共通電位が供給される共通電極と、前記画素電極と前記共通電極とで駆動される液晶と、前記一の走査線の選択に応じて前記画素電極と前記複数のデータ線のうち一のデータ線とを電気的に接続するトランジスターと、を有し、前記駆動回路は、前記第１期間において、前記複数の走査線のうち、隣り合う奇数番目の走査線と偶数番目の走査線との組みを順次選択して、前記隣り合う奇数番目の走査線と偶数番目の走査線の両方の走査線に対応する画素にオフ電位を前記データ電位として、前記両方の走査線に対応する画素に同時に書き込み、前記第２期間において、前記複数の走査線のうち、隣り合う奇数番目の走査線と偶数番目の走査線との組みを順次選択して、前記奇数番目の走査線及び前記偶数番目の走査線のうち一方の走査線に対応する画素で表示すべき階調に応じた階調電位を前記データ電位として、前記奇数番目の走査線及び前記偶数番目の走査線の両方の走査線に対応する画素に同時に書き込み、前記第３期間において、前記奇数番目の走査線及び前記偶数番目の走査線のうち他方の走査線を順次選択して、前記他方の走査線に対応する画素に、当該画素で表示すべき階調に応じた階調電位を前記データ電位として書き込み、前記共通電位供給回路は、前記第１期間が終了してから前記第２期間が開始するまでの間に前記共通電位の極性を反転させることを特徴とする。
【０００７】
この発明の一態様によれば、第１期間にオフ電位を画素に書き込み、その後、共通電位の極性を反転させるから、トランジスターで必要とされる耐圧を下げることができる。そして、第２期間では、奇数番目と偶数番目の走査線の組みを選択しつつ、一方の走査線の画素に対応する階調電位を両方の走査線に対応する画素に書き込み、次の第３期間では、他方の走査線を順次選択して一方の走査線の画素に対応する階調電位を書き込む。したがって、第２期間及び第３期間の各々では、全ての走査線を順次選択する場合と比較して、走査期間を半分に短縮することができる。しかも、第２期間が終了した時点で解像度が半分となる画像を書き込むことができ、さらに、第３期間が終了した時点で本来の解像度の画像を書き込むことができる。このため、本発明に係る電気光学装置によれば、トランジスターの耐圧を下げつつ、画素への書き込みに必要な時間を確保することが可能となる。
【０００８】
また、上述した電気光学装置の一態様において、前記複数の画素に光を照射する光源と、前記光源の輝度を制御する制御回路とを備え、前記第１期間の開始から前記第２期間の終了までの期間の一部又は全部を第１制御期間、前記フレーム期間のうち前記第1制御期間以外の期間を第２制御期間としたとき、前記制御回路は、前記第１制御期間における前記画素に照射される光の輝度が前記第２制御期間と比較して低くなるように前記光源を制御することが好ましい。
【０００９】
第１期間ではオフ電位を書き込み、第２期間では解像度が半分の画像が書き込まれる。本発明によれば、不完全な画像を書き込む第１期間に及び第2期間の一部又は全部を含む第１制御期間において、画素に照射される光の輝度を低下させるので、表示画像の品質を向上させることができる。ここで、制御回路は、第１制御期間において減光した光量を補うように第２制御期間の光源の輝度を制御することが好ましい。なお、光源は放電灯と可動する絞りを有するものであってもよい。この場合、画素に照射される光の輝度は絞りで調整してもよい。
【００１０】
また、上述した電気光学装置において、前記駆動回路は、前記第４期間において、前記複数の走査線を順次選択して、選択した走査線に対応する画素に、当該画素で表示すべき階調に応じた階調電位を前記データ電位として書き込むことが好ましい。この発明によれば、トランジスターのリーク電流によって液晶の印加電圧が変化しても、第４期間において、全ての走査線を選択して階調電位を書き込むので、表示画像の品質を向上させることができる。
【００１１】
また、上述した電気光学装置において、前記複数の画素に光を照射する光源と、前記光源の輝度を制御する制御回路とを備え、前記第１期間の開始から前記第３期間の終了までの期間の一部又は全部を第１制御期間、前記フレーム期間のうち前記第1制御期間以外の期間を第２制御期間としたとき、前記制御回路は、前記第１制御期間における前記画素に照射される光の輝度が前記第２制御期間と比較して低くなるように前記光源を制御することが好ましい。
【００１２】
第１期間ではオフ電位を書き込み、第２期間では解像度が半分の画像が書き込み、第3期間では、奇数番目及び偶数番目の走査線のうち他方の走査線に対応する画素に階調電位を書き込む。したがって、第３期間が終了した時点で本来の解像度の画像を書き込むことができる。本発明によれば、完全な画像が書き込まれるまでの一部又は全部である第１制御期間において、光源の輝度を低下させるので、表示画像の品質を向上させることができる。ここで、制御回路は、第１制御期間において減光した光量を補うように第２制御期間の光源の輝度を制御することが好ましい。
【００１３】
上述した電気光学装置において、前記制御回路は、前記光源の輝度を一定とする通常モードと、前記光源の輝度を前記第１制御期間及び前記第２制御期間で調整する調光モードとを切り替え可能であることが好ましい。この発明によれば、光源の輝度の調整を実行するか否かを切り替えることが可能となる。ここで、制御回路は、利用者の指示入力に基づいて、通常モードと調光モードとを切り替えてもよいし、自動で通常モードと調光モードとを切り替えてもよい。
【００１４】
上述した電気光学装置において、前記フレーム期間は第４期間及び第５期間を含み、右眼用シャッターと左眼用シャッターとを含む立体視用眼鏡で立体視される右眼用画像および左眼用画像を表示し、前記右眼用シャッター及び前記左眼用シャッターを制御する眼鏡制御回路を備え、前記駆動回路は、前記第４期間において、隣り合う奇数番目の走査線と偶数番目の走査線との組みを順次選択して、奇数番目の走査線及び偶数番目の走査線のうち一方の走査線に対応する画素で表示すべき階調に応じた階調電位を前記データ電位として、両方の走査線に対応する画素に同時に書き込み、前記第５期間において、奇数番目の走査線及び偶数番目の走査線のうち他方の走査線を順次選択して、前記他方の走査線に対応する画素に、当該画素で表示すべき階調に応じた階調電位を前記データ電位として書き込み、前記第２期間及び前記第３期間において前記画素に書き込む階調電位は、前記右眼用画像及び前記左眼用画像の一方であり、前記第４期間及び前記第５期間において前記画素に書き込む階調電位は、前記右眼用画像及び前記左眼用画像の他方であり、前記眼鏡制御回路は、前記右眼用シャッター及び前記左眼用シャッターのうち一方のシャッターを、あるフレーム期間の前記第５期間の開始において閉状態から開状態に遷移させ、次のフレーム期間の前記第４期間の開始において開状態から閉状態に遷移させ、前記右眼用シャッター及び前記左眼用シャッターのうち他方のシャッターを、前記あるフレーム期間の前記第４期間の開始において開状態から閉状態に遷移させ、前記次のフレーム期間の前記第５期間の開始において閉状態から開状態に遷移させることが好ましい。
【００１５】
この発明によれば、第１期間にオフ電位を画素に書き込み、その後、共通電位の極性を反転させるから、トランジスターの耐圧を下げることができる。そして、右眼用画像及び左眼用画像の一方を第2期間及び第３期間に書き込み、右眼用画像及び左眼用画像の他方を第４期間及び第５期間に書き込むので、立体視可能な画像を表示することができる。また、右眼用画像及び左眼用画像が相違しても、液晶に印加電圧の直流分をゼロとすることができる。
【００１６】
次に、本発明に係る電子機器は、上述した電気光学装置を備えたことを特徴とする。このような電子機器としては、パーソナルコンピューター、携帯電話機、立体視表示装置などが該当する。
【００１７】
次に、本発明に係る電気光学装置の駆動方法は、第１期間、前記第１期間より後の第２期間、及び前記第２期間より後の第３期間を含むフレーム期間ごとに画像を表示し、複数の走査線と、複数のデータ線と、前記走査線と前記データ線との交差に対応して設けられた複数の画素とを備え、前記複数の画素の各々は、画素電極と、前記共通電位が供給される共通電極と、前記画素電極と前記共通電極とで駆動される液晶と、前記一の走査線の選択に応じて前記画素電極と前記複数のデータ線のうち一のデータ線とを電気的に接続するトランジスターとを有する電気光学装置を駆動する方法であって、前記第１期間において、前記複数の走査線のうち、隣り合う奇数番目の走査線と偶数番目の走査線との組みを順次選択して、前記隣り合う奇数番目の走査線と偶数番目の走査線の両方の走査線に対応する画素にオフ電位を前記データ電位として、前記両方の走査線に対応する画素に同時に書き込み、前記第１期間が終了してから前記第２期間が開始するまでの間に前記共通電位の極性を反転させ、前記第２期間において、前記複数の走査線のうち、隣り合う奇数番目の走査線と偶数番目の走査線との組みを順次選択して、前記奇数番目の走査線及び前記偶数番目の走査線のうち一方の走査線に対応する画素で表示すべき階調に応じた階調電位を前記データ電位として、前記奇数番目の走査線及び前記偶数番目の走査線の両方の走査線に対応する画素に同時に書き込み、前記第３期間において、前記奇数番目の走査線及び前記偶数番目の走査線のうち他方の走査線を順次選択して、前記他方の走査線に対応する画素に、当該画素で表示すべき階調に応じた階調電位を前記データ電位として書き込む、ことを特徴とする。この発明によれば、トランジスターの耐圧を下げつつ、画素への書き込みに必要な時間を確保することが可能となる。
【図面の簡単な説明】
【００１８】
【図１】本発明の第１実施形態に係る電気光学装置のブロック図である。
【図２】同実施形態の画素回路の回路図である。
【図３】同実施形態の液晶表示装置の動作の説明図である。
【図４】同実施形態の走査線駆動回路の動作の説明図である。
【図５】本発明の第２実施形態における電気光学装置のブロック図である。
【図６】同実施形態の液晶表示装置の動作の説明図である。
【図７】本発明の第３実施形態における液晶表示装置の動作の説明図である。
【図８】同実施形態の走査線駆動回路の動作の説明図である。
【図９】本発明の第４実施形態における液晶表示装置の動作の説明図である。
【図１０】本発明の第５実施形態に係る電気光学装置のブロック図である。
【図１１】同実施形態の液晶表示装置の動作の説明図である。
【図１２】同実施形態の走査線駆動回路の動作の説明図である。
【図１３】同実施形態の駆動回路の動作の説明図である。
【図１４】電子機器（パーソナルコンピュータ）の斜視図である。
【図１５】電子機器（携帯電話機）の斜視図である。
【図１６】電子機器（投射型表示装置）の斜視図である。
【図１７】従来の技術における画素のトランジスターの耐圧の説明図である。
【発明を実施するための形態】
【００１９】
＜１．第１実施形態＞
図１は、本発明の第１実施形態に係る電気光学装置１００のブロック図である。電気光学装置１００は、液晶表示装置１０と、共通電極に共通電位Ｖcomを供給する共通電位供給回路６０と、液晶表示装置１０のバックライトとして機能する光源７０とを備える。液晶表示装置１０は、電気光学パネル１２、及び制御回路１４を具備する。電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２と、ｘ方向に交差するｙ方向に延在するＮ本のデータ線３４とが形成される（Ｍ及びＮは自然数）。画素部３０内の複数の画素ＰIXは、走査線３２とデータ線３４との各交差に対応して縦Ｍ行×横Ｎ列の行列状に配列される。
【００２０】
図２は、各画素ＰIXの回路図である。図２に示すように、各画素ＰIXは、液晶素子ＣLとトランジスターＴｒとを含む。液晶素子ＣLは、相互に対向する画素電極６２（第１電極）及び共通電極６４（第２電極）と両電極間の液晶６６とで構成された電気光学素子である。画素電極６２と共通電極６４との間の印加電圧に応じて液晶６６の透過率（表示階調）が変化する。トランジスターＴｒは、走査線３２にゲートが接続されたＮチャネル型の薄膜トランジスターで構成され、液晶素子ＣLとデータ線３４との間に介在して両者の電気的な接続（導通／絶縁）を制御する。ｍを１からＭまでの自然数、ｎを１からＮまでの自然数としたとき、走査信号Ｙ[m]が選択電位に設定されることで第ｍ行の各画素ＰIXにおけるトランジスターＴｒが同時にオン状態に遷移する。各画素ＰIX（液晶素子ＣL）は、トランジスターＴｒがオン状態に制御されたとき（すなわち走査線３２の選択時）のデータ線３４のデータ電位Ｘ[n]に応じた階調を表示する。なお、液晶素子ＣLに並列に補助容量を接続した構成も採用され得る。
【００２１】
図１に示す駆動回路４０は、走査線駆動回路４２とデータ線駆動回路４４とを具備する。駆動回路４０は電源回路５０から電源電圧の供給を受けて動作する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定されることで第ｍ行の走査線３２が選択される。走査線駆動回路４２による走査線３２の選択に同期して、データ線駆動回路４４はＮ本のデータ線３４の各々にデータ電位Ｘ[1]〜Ｘ[N]を供給する。
【００２２】
図３は、液晶表示装置１０の動作の説明図である。液晶表示装置１０はフレーム期間単位で制御され、フレーム期間は、第１期間Ｗ１、第２期間Ｗ２、第３期間Ｗ３、及び第１期間Ｗ１と第２期間Ｗ２との間に設けられた極性反転期間Ｔｘを含む。この図に示すように、極性反転期間Ｔｘにおいて、基準電位Ｖrefを基準として共通電位Ｖcomの極性が反転する。また、ノーマリブラックの液晶において白、ノーマリホワイトの液晶において黒に相当するデータ電位Ｘ[n]をオン電位Ｖon、ノーマリブラックの液晶において黒、ノーマリホワイトの液晶において白に相当するデータ電位Ｘ[n]をオフ電位Ｖoffとする。ここで、オン電位Ｖonに相当する階調を表示する場合、画素電極６２に書き込まれる電位Ｖdataは、同図に示すものとなる。
【００２３】
図４に走査線駆動回路４２の動作を示す。走査線駆動回路４２は、各フレーム期間Ｆの第１期間Ｗ１及び第２期間Ｗ２において、相互に隣合う２本の走査線３２を選択単位として選択期間Ｈ[1]〜Ｈ[K]にて順次に選択する。すなわち、各第１期間Ｗ1の第ｋ番目（ｋ＝１〜Ｋ）の選択期間Ｈ[k]では、奇数行の走査信号Ｙ[2k-1]と偶数行の走査信号Ｙ[2k]とが同時に選択電位に設定されることで、第(2k-1)行の走査線３２（奇数行の画素回路群Ｂ）と第2k行の走査線３２（偶数行の画素回路群Ｂ）とが同時に選択される。例えば選択期間Ｈ[1]では第１行の走査線３２と第２行の走査線３２とが同時に選択され、選択期間Ｈ[2]では第３行の走査線３２と第４行の走査線３２とが同時に選択される。したがって、第１期間Ｗ1内の選択期間Ｈ[k]の総数Ｋは、走査線３２の総数（画素回路群Ｂの行数）Ｍの半分に相当する（Ｋ＝Ｍ/２）。なお、この例では、走査線３２の総数Ｍが偶数である場合を想定しているが、奇数であってもよい。この場合、最後の走査線３２は奇数行となり、走査線駆動回路４２によって、奇数行として選択され、データ線駆動回路４４からデータ線３４を介してデータ電位が書き込まれる。
【００２４】
他方、各フレーム期間Ｆの第３期間Ｗ３において、走査線駆動回路４２は、偶数行の走査線３２を選択期間Ｈ[1]〜Ｈ[K]にて１本ずつ順次に選択する。すなわち、第３期間Ｗ３内の第ｋ番目の選択期間Ｈ[k]では、走査信号Ｙ[2k]が選択電位に設定されることで第2k行の１本の走査線３２（第2k行の画素回路群Ｂ）が選択される。例えば選択期間Ｈ[1]では第２行の走査線３２が選択され、選択期間Ｈ[2]では第４行の走査線３２が選択される。したがって、各第３期間Ｗ３には第１期間Ｗ１と同様にＫ個（Ｍ/２個）の選択期間Ｈ[1]〜Ｈ[K]が含まれる。
【００２５】
図３に示すように、データ線駆動回路４４は、第１期間Ｗ１においてデータ電位Ｘ[1]〜Ｘ[N]としてオフ電位Ｖoffを各データ線３４に供給する。この結果、液晶素子ＣLに印加される電圧は０Ｖとなり、極性反転期間Ｔｘにおいて、共通電位Ｖcomが極性反転してもトランジスターＴｒのドレインとソースとの間に過大な電圧が印加されることがなくなる。また、各画素回路ＰIXの液晶素子ＣLの印加電圧が前後の極性反転期間Ｔｘの前後で逆極性となるように、各データ電位Ｘ[n]の極性が反転される。具体的には、データ電位Ｘ[n]は、奇数番目のフレーム期間Ｆで共通電位Ｖcomに対して負極性（-）に設定され、偶数番目のフレーム期間Ｆで共通電位Ｖcomに対して正極性(+)に設定される。
【００２６】
第２期間Ｗ２のうち第(2k-1)行の走査線３２と第2k行の走査線３２とが同時に選択される選択期間Ｈ[k]において、データ線駆動回路４４は、第(2k-1)行の走査線３２に対応する各画素の指定階調Ｇ[2k-1]に応じたデータ電位Ｘ[n]を各データ線３４に供給する。この結果、第２期間Ｗ２では、奇数番目の走査線３２に対応する画素で表示すべき階調電位をデータ電位Ｘ[n]として、同時に選択される両方の走査線に対応する画素に同時に書き込む。
例えば、選択期間Ｈ[1]では、第１行の各画素の指定階調Ｇ[1]に応じたデータ電位Ｘ[n]が第１行および第２行の各画素回路ＰIXに供給され、選択期間Ｈ[2]では、第３行の各画素の指定階調Ｇ[3]に応じたデータ電位Ｘ[n]が第３行および第４行の各画素回路ＰIXに供給される。以上の通り、Ｙ方向に相互に隣合う各画素回路ＰIXには相等しいデータ電位Ｘ[n]が供給されるから、第１期間Ｗ1が終了する時点では、Ｙ方向の解像度を半分に低下させた画像が画素部３０に表示される。
【００２７】
他方、第３期間Ｗ３のうち第2k行の走査線３２が選択される選択期間Ｈ[k]において、データ線駆動回路４４は、当該走査線３２に対応する第2k行の各画素の指定階調Ｇ[2k]に応じたデータ電位Ｘ[n]を各データ線３４に供給する。具体的には、選択期間Ｈ[1]では、第２行の各画素の指定階調Ｇ[2]に応じたデータ電位Ｘ[n]が第２行の各画素回路ＰIXに供給され、選択期間Ｈ[2]では、第４行の各画素の指定階調Ｇ[4]に応じたデータ電位Ｘ[n]が第４行の各画素回路ＰIXに供給される。他方、奇数行に対応する各画素回路ＰIXの液晶素子ＣLの印加電圧は、直前の第２期間Ｗ２での印加電圧に保持される。したがって、第２期間Ｗ２の終点ではＹ方向に半分の解像度で表示されていた画像が、第３期間Ｗ３の終点では所期の解像度（Ｍ行×Ｎ列）に更新される。
【００２８】
このように本実施形態においては、各画素への書き込みに必要な時間を短縮することなく、明るさ、あるいは、コントラストを確保しながら、トランジスターＴｒの耐圧を下げることができる。この結果、トランジスタサイズを縮小して、高精細な画像を表示することが可能となる。
【００２９】
＜２．第２実施形態＞
図５は、本発明の第２実施形態に係る電気光学装置１００Ｂのブロック図である。電気光学装置１００Ｂは、光源７０の輝度を制御回路１４で制御する点を除いて図１に示す第１実施形態の電気光学装置１００Ａと同様に構成されている。
【００３０】
光源７０は、制御回路１４から供給される制御信号ＣＴＬに基づいて、輝度が制御される。具体的には、光源７０は、制御信号ＣＴＬがローレベルの期間において、ハイレベルの期間と比較して輝度が低くなるように制御される。
【００３１】
図６は、液晶表示装置１０の動作の説明図である。第１期間Ｗ１の開始から第２期間Ｗ２の終了までの期間を第１制御期間Ｔ１、フレーム期間Ｆのうち第1制御期間Ｔ１以外の期間を第２制御期間Ｔ２としたとき、第１制御期間Ｔ１で制御信号ＣＴＬがローレベルとなる一方、第１制御期間Ｔ１で制御信号ＣＴＬがハイレベルとなる。すなわち、制御回路１４は、第１制御期間Ｔ１における光源７０の輝度が第２制御期間Ｔ２と比較して低くなるように光源７０を制御する。
【００３２】
この例の第１制御期間Ｔ１は、オフ電位Ｖoffを書き込む第１期間Ｗ１、極性反転期間Ｔｘ、及び解像度の低い画像を書き込む第２期間Ｗ２から構成される。一方、第２制御期間Ｔ２は、解像度の高い画像を形成するための第３期間Ｗ３を含む。したがって、第１制御期間Ｔ１と第２制御期間Ｔ２とを比較すると、第２制御期間Ｔ２の方が高品質の画像を表示可能である。
ところで、一般的に光源の定格は、平均消費電力最大定格と瞬間消費電力最大定格の論理積で定義される。このため、第１制御期間Ｔ１では、消灯、あるいは、減灯する代わりに、第２制御期間Ｔ２では電力を多く投入して光源７０の輝度を高くした。
これにより、第２実施形態の電気光学装置１００Ｂによれば、第１実施形態の電気光学装置１００Ａと比較して、明るさ、あるいは、コントラストを向上することができる。
【００３３】
＜３．第３実施形態＞
第３実施形態は、フレーム期間Ｆにおいて、第４期間Ｗ４を設け、当該第４期間Ｗ４において、走査線３２を順次選択して、１行ずつデータ電位Ｘ[n]を書き込む点を除いて、第１実施形態と同様である。
図７は、液晶表示装置１０の動作の説明図である。フレーム期間Ｆは、２行の走査線３２を同時に選択してオフ電位Ｖoffを書き込む第１期間Ｗ１、極性反転期間Ｔｘ、２行の走査線３２を同時に選択して奇数行の階調電位を奇数行の画素と偶数行の画素とに同時に書き込む第２期間Ｗ２、偶数行の走査線３２を順次選択し偶数行の階調電位を偶数行の画素に書き込む第３期間Ｗ３の他に、第４期間Ｗ４を備える。
図８に走査線駆動回路４２の動作を示す。各フレーム期間Ｆの第１乃至第３期間Ｗ１〜Ｗ３の動作は、図４を参照して第１実施形態で説明したものと同様である。走査線駆動回路４２は、各フレーム期間Ｆの第４期間Ｗ４において、１本の走査線３２を選択単位として選択期間Ｈ[1]〜Ｈ[M]にて順次に選択する。すなわち、各第４期間Ｗ４の第ｋ番目（ｋ＝１〜Ｍ）の選択期間Ｈ[k]では、走査信号Ｙ[2k]が選択電位に設定されることで、第2k行の走査線３２が選択される。例えば選択期間Ｈ[1]では第１行の走査線３２が選択され、選択期間Ｈ[2]では第２行の走査線３２が選択される。したがって、第４期間Ｗ４内の選択期間Ｈ[k]の総数Ｍは、走査線３２の総数Ｍと一致する。
【００３４】
図７に示すように、データ線駆動回路４４は、第４期間Ｗ４のうち第2k行の走査線３２が選択される選択期間Ｈ[k]において、データ線駆動回路４４は、第2k行の走査線３２に対応する各画素の指定階調Ｇ[2k]に応じたデータ電位Ｘ[n]を各データ線３４に供給する。この結果、第４期間Ｗ４では、１行ずつデータ電位Ｘ[n]を書き込む。
例えば、選択期間Ｈ[1]では、第１行の各画素の指定階調Ｇ[1]に応じたデータ電位Ｘ[n]が第１行の各画素回路ＰIXに供給され、選択期間Ｈ[2]では、第２行の各画素の指定階調Ｇ[2]に応じたデータ電位Ｘ[n]が第２行の各画素回路ＰIXに供給される。以上の通り、１行ごとにデータ電位Ｘ[n]が供給されるから、第４期間Ｗ４が終了する時点では、走査線３２の総数Ｍに応じた解像度の画像が画素部３０に表示される。
【００３５】
液晶素子ＣLには、データ電位Ｘ[n]が書き込まれ、次の書き込みまで液晶素子ＣLは電圧を保持するが、トランジスターＴｒのリーク電流によって保持する電圧が低下する。本実施形態によれば、第４期間Ｗ４を設けたので、偶数行及び奇数行の保持期間が短縮される。また、第１実施形態では、奇数行の保持期間が偶数行の保持期間より長いが、本実施形態によれば、両者の保持期間の差を短くすることができる。このため、表示画像が奇数行であるか偶数行であるかに依存する表示ムラを抑制することができる。
【００３６】
＜４．第４実施形態＞
第４実施形態に係る電気光学装置は、上述した第２実施形態の電気光学装置１００Ｂ（図５参照）と同様に構成されている。但し、第４実施形態に係る電気光学装置は、第３実施形態と同様に第４期間Ｗ４を設ける点で、第２実施形態の電気光学装置１００Ｂと相違する。
【００３７】
図９は、液晶表示装置１０の動作の説明図である。第４実施形態では第１期間Ｗ１の開始から第３期間Ｗ３の終了までの期間を第１制御期間Ｔ１、フレーム期間Ｆのうち第1制御期間Ｔ１以外の期間を第２制御期間Ｔ２とする。制御回路１４は第１制御期間Ｔ１でローレベルとなる一方、第２制御期間Ｔ２でハイレベルとなる制御信号ＣＴＬを生成し、第１制御期間Ｔ１における光源７０の輝度が第２制御期間Ｔ２と比較して低くなるように光源７０を制御する。
【００３８】
この例の第１制御期間Ｔ１は、第１期間Ｗ１、極性反転期間Ｔｘ、第２期間Ｗ２、及び第３期間Ｗ３から構成される。一方、第２制御期間Ｔ２は、１行ずつ解像度の高い画像を形成する第４期間Ｗ４を含む。第３期間Ｔ３の途中では、解像度の高い画像を形成中であり、第３期間Ｔ３が終了した時点で各行の画素に本来表示すべき階調に応じたデータ電位Ｘ[n]が書き込まれる。
【００３９】
したがって、第４実施形態によれば、第１制御期間Ｔ１では、消灯、あるいは、減灯する代わりに、第２制御期間Ｔ２では電力を多く投入して光源７０の輝度を高くしたので、第３実施形態と比較して明るさ、あるいは、コントラストをさほど損なわず、完全に元画像の解像度を得ることができるといった利点がある。
【００４０】
＜５．第５実施形態＞
図１０は、本発明の第５実施形態に係る電気光学装置１００Ｃのブロック図である。電気光学装置１００Ｃは、観察者に立体感を知覚させる立体視画像をアクティブシャッター方式で表示する電子機器であり、液晶表示装置１０、立体視用眼鏡２０、及び光源７０を具備する。電気光学装置１０は、右眼用画像ＧRと左眼用画像ＧLとを時分割で交互に表示し、第１実施形態で図１及び図２を参照して説明した液晶表示装置１０と同様である。但し、制御回路１４の詳細な構成が第１実施形態と相違する。
【００４１】
立体視用眼鏡２０は、電気光学装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２および左眼用シャッター２４の各々は、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが右眼用シャッター２２および左眼用シャッター２４として採用され得る。
【００４２】
制御回路１４は、電気光学パネル１２を制御する表示制御回路１４２と、立体視用眼鏡２０を制御する眼鏡制御回路１４４を具備する。なお、表示制御回路１４２と眼鏡制御回路１４４とを単体の集積回路に搭載した構成や、表示制御回路１４２と眼鏡制御回路１４４とを別体の集積回路に分散した構成が採用され得る。表示制御回路１４２は、相互に視差が付与された右眼用画像ＧRと左眼用画像ＧLとが時分割で画素部３０に表示されるように駆動回路４０を制御する。具体的には、表示制御回路１４２は、駆動回路４０が以下の動作を実行するように駆動回路４０を制御する。
【００４３】
図１１は、電気光学装置１０の動作の説明図である。電気光学装置１０の動作期間は、右眼用画像ＧRを表示するための右眼用期間ＰRと左眼用画像ＧLを表示するための左眼用期間ＰLとに区分される。右眼用期間ＰRと左眼用期間ＰLとは時間軸上に交互に配置される。また、各フレーム期間Ｆは、第１期間Ｗ１、極性反転期間Ｔｘ、第２期間Ｗ２、第３期間Ｗ３、第４期間Ｗ４、及び第５期間Ｗ５を備える。
右眼用期間ＰRは、あるフレーム期間Ｆの第４期間Ｗ４の開始時点ｔ１から次のフレーム期間Ｆの第４期間Ｗ４の開示時点ｔ２までであり、左眼用期間ＰLは次のフレーム期間Ｆの第４期間Ｗ４の開始時点ｔ２からその次のフレーム期間Ｆの第４期間Ｗ４の開示時点ｔ３までである。
【００４４】
図１２は、各フレーム期間Ｆの各々における第１乃至第５期間Ｗ１〜Ｗ５での走査線駆動回路４２の動作の説明図である。図１２に示すように、走査線駆動回路４２は、第１期間Ｗ1、第２期間Ｗ２、及び第４期間Ｗ４において、相互に隣合う２本の走査線３２（画素回路群Ｂの２行分）を選択単位として選択期間Ｈ[1]〜Ｈ[K]にて順次に選択する。すなわち、各第１期間Ｗ1の第ｋ番目（ｋ＝１〜Ｋ）の選択期間Ｈ[k]では、奇数行の走査信号Ｙ[2k-1]と偶数行の走査信号Ｙ[2k]とが同時に選択電位に設定されることで、第(2k-1)行の走査線３２（奇数行の画素回路群Ｂ）と第2k行の走査線３２（偶数行の画素回路群Ｂ）とが同時に選択される。したがって、第１期間Ｗ1内の選択期間Ｈ[k]の総数Ｋは、走査線３２の総数（画素回路群Ｂの行数）Ｍの半分に相当する（Ｋ＝Ｍ/２）。
【００４５】
他方、第３期間Ｗ３及び第５期間Ｗ５において、走査線駆動回路４２は、偶数行の走査線３２を選択期間Ｈ[1]〜Ｈ[K]にて１本ずつ順次に選択する。すなわち、第３期間Ｗ３及び第５期間Ｗ５内の第ｋ番目の選択期間Ｈ[k]では、走査信号Ｙ[2k]が選択電位に設定されることで第2k行の１本の走査線３２（第2k行の画素回路群Ｂ）が選択される。例えば選択期間Ｈ[1]では第２行の走査線３２が選択され、選択期間Ｈ[2]では第４行の走査線３２が選択される。したがって、各第３期間Ｗ３及び第５期間Ｗ５には第１期間Ｗ１と同様にＫ個（Ｍ/２個）の選択期間Ｈ[1]〜Ｈ[K]が含まれる。
【００４６】
図１３に図１１示す最初のフレーム期間と次のフレーム期間における、データ線駆動回路４４の動作を示す。データ線駆動回路４４は、あるフレーム期間及び次のフレーム期間の第１期間Ｗ１においてデータ電位Ｘ[1]〜Ｘ[N]としてオフ電位Ｖoffを各データ線３４に供給する。この結果、液晶素子ＣLに印加される電圧は０Ｖとなり、極性反転期間Ｔｘにおいて、共通電位Ｖcomが極性反転してもトランジスターＴｒのドレインとソースとの間に過大な電圧が印加されることがなくなる。また、各画素回路ＰIXの液晶素子ＣLの印加電圧が前後の極性反転期間Ｔｘの前後で逆極性となるように、各データ電位Ｘ[n]の極性が反転される。具体的には、データ電位Ｘ[n]は、奇数番目のフレーム期間Ｆ（あるフレーム期間）で共通電位Ｖcomに対して負極性（-）に設定され、偶数番目のフレーム期間Ｆ（次のフレーム期間）で共通電位Ｖcomに対して正極性(+)に設定される。
【００４７】
あるフレーム期間の第２期間Ｗ２では、奇数行と偶数行とに組みを順次選択し、奇数行の左眼用画像ＧLに応じた階調電位をデータ電位Ｘ[n]として、同時に選択される奇数行と偶数行の走査線に対応する画素に同時に書き込む。例えば、選択期間Ｈ[1]では、第１行の各画素の指定階調ＧL[1]に応じたデータ電位Ｘ[n]が第１行および第２行の各画素回路ＰIXに供給され、選択期間Ｈ[2]では、第３行の各画素の指定階調ＧL[3]に応じたデータ電位Ｘ[n]が第３行および第４行の各画素回路ＰIXに供給される。以上の通り、Ｙ方向に相互に隣合う各画素回路ＰIXには相等しいデータ電位Ｘ[n]が供給されるから、第１期間Ｗ1が終了する時点では、Ｙ方向の解像度を半分に低下させた左眼用画像ＧLが画素部３０に表示される。
【００４８】
次に、あるフレーム期間の第３期間Ｗ３では、偶数行を順次選択し、偶数行の左眼用画像ＧLに応じた階調電位をデータ電位Ｘ[n]として、偶数行の走査線に対応する画素に書き込む。具体的には、選択期間Ｈ[1]では、第２行の各画素の指定階調ＧL[2]に応じたデータ電位Ｘ[n]が第２行の各画素回路ＰIXに供給され、選択期間Ｈ[2]では、第４行の各画素の指定階調ＧL[4]に応じたデータ電位Ｘ[n]が第４行の各画素回路ＰIXに供給される。他方、奇数行に対応する各画素回路ＰIXの液晶素子ＣLの印加電圧は、直前の第２期間Ｗ２での印加電圧に保持される。したがって、第２期間Ｗ２の終点ではＹ方向に半分の解像度で表示されていた左眼用画像ＧLが、第３期間Ｗ３の終点では所期の解像度（Ｍ行×Ｎ列）に更新される。
【００４９】
次に、あるフレーム期間の第４期間Ｗ４では、奇数行と偶数行とに組みを順次選択し、奇数行の右眼用画像ＧRに応じた階調電位をデータ電位Ｘ[n]として、同時に選択される奇数行と偶数行の走査線に対応する画素に同時に書き込む。例えば、選択期間Ｈ[1]では、第１行の各画素の指定階調ＧR [1]に応じたデータ電位Ｘ[n]が第１行および第２行の各画素回路ＰIXに供給され、選択期間Ｈ[2]では、第３行の各画素の指定階調ＧR[3]に応じたデータ電位Ｘ[n]が第３行および第４行の各画素回路ＰIXに供給される。以上の通り、Ｙ方向に相互に隣合う各画素回路ＰIXには相等しいデータ電位Ｘ[n]が供給されるから、第１期間Ｗ1が終了する時点では、Ｙ方向の解像度を半分に低下させた右眼用画像ＧRが画素部３０に表示される。
【００５０】
次に、あるフレーム期間の第５期間Ｗ５では、偶数行を順次選択し、偶数行の右眼用画像ＧRに応じた階調電位をデータ電位Ｘ[n]として、偶数行の走査線に対応する画素に書き込む。具体的には、選択期間Ｈ[1]では、第２行の各画素の指定階調ＧR[2]に応じたデータ電位Ｘ[n]が第２行の各画素回路ＰIXに供給され、選択期間Ｈ[2]では、第４行の各画素の指定階調ＧR[4]に応じたデータ電位Ｘ[n]が第４行の各画素回路ＰIXに供給される。他方、奇数行に対応する各画素回路ＰIXの液晶素子ＣLの印加電圧は、直前の第２期間Ｗ２での印加電圧に保持される。したがって、第４期間Ｗ４の終点ではＹ方向に半分の解像度で表示されていた右眼用画像ＧRが、第５期間Ｗ５の終点では所期の解像度（Ｍ行×Ｎ列）に更新される。
【００５１】
また、次のフレーム期間の第２乃至第５期間Ｗ２〜Ｗ５は、あるフレーム期間の第２乃至第５期間Ｗ２〜Ｗ５と同様に走査線を選択する。但し、書き込むべき画像を、左眼用画像ＧLの替わりに右眼用画像ＧRとし、右眼用画像ＧRの替わりに左眼用画像ＧLとしている。すなわち、次のフレーム期間の第２期間Ｗ２では偶数行と奇数行の組みを順次選択して、奇数行の右眼用画像ＧRを偶数行と奇数行との画素に書き込む。また、次のフレーム期間の第３期間Ｗ３では偶数行を順次選択して、偶数行の右眼用画像ＧRを偶数行の画素に書き込む。また、次のフレーム期間の第４期間Ｗ４では偶数行と奇数行の組みを順次選択して、奇数行の左眼用画像ＧLを偶数行と奇数行との画素に書き込む。また、次のフレーム期間の第５期間Ｗ５では偶数行を順次選択して、偶数行の左眼用画像ＧLを偶数行の画素に書き込む。
【００５２】
本実施形態においては、右眼用期間ＰRと左眼用期間ＰLとのそれぞれで極性反転を行っている。例えば、あるフレーム期間の第４期間Ｗ４と第５期間Ｗ５では、右眼用画像ＧRを負極性で書き込み、次のフレーム期間の第２期間Ｗ２と第３期間Ｗ３では、右眼用画像ＧRを正極性で書き込む。この結果、右眼用画像ＧRと左眼用画像ＧLとが異なっていても、液晶素子ＣLへ印加される電圧の直流分をゼロとすることできる。さらに、右眼用画像ＧRと左眼用画像ＧLとの切り替え周波数をフリッカが知覚しにくい周波数、60Hz以上に設定できる。
また、第１実施形態と同様に、各画素への書き込みに必要な時間を短縮することなく、明るさ、あるいは、コントラストを確保しながら、トランジスターＴｒの耐圧を下げることができる。この結果、トランジスタサイズを縮小して、高精細な画像を表示することが可能となる。
【００５３】
＜６．変形例＞
以上の各形態は多様に変形され得る。具体的な変形の態様を以下に例示する。以下の例示から任意に選択された２以上の態様は、相互に矛盾しない範囲内で適宜に併合され得る。
【００５４】
（１）変形例１  
上述した第１乃至第４実施形態の第３期間Ｗ３、第５実施形態の第３期間Ｗ３及び第５期間Ｗ５では、偶数番目の走査線を順次選択し、偶数番目の走査線に対応する画素に偶数行の画像を書き込んだが、本発明はこれに限定されるものではなく、第２期間Ｗ２あるいは第４期間Ｗ４において、隣り合う奇数番目の走査線と偶数番目の走査線との組みを順次選択して、偶数番目の走査線に対応する画素で表示すべき階調に応じた階調電位をデータ電位Ｘ[n]として、両方の走査線に対応する画素に同時に書き込み、第３期間Ｗ３あるいは第５期間Ｗ５において、奇数番目の走査線を順次選択して、奇数番目の走査線に対応する画素に、当該画素で表示すべき階調に応じた階調電位をデータ電位Ｘ[n]として書き込んでもよい。
すなわち、第２期間Ｗ２あるいは第４期間Ｗ４において、隣り合う奇数番目の走査線と偶数番目の走査線との組みを順次選択して、奇数番目の走査線及び偶数番目の走査線のうち一方の走査線に対応する画素で表示すべき階調に応じた階調電位をデータ電位Ｘ[n]として、両方の走査線に対応する画素に同時に書き込み、第３期間Ｗ３あるいは第５期間Ｗ５において、奇数番目の走査線及び偶数番目の走査線のうち他方の走査線を順次選択して、他方の走査線に対応する画素に、当該画素で表示すべき階調に応じた階調電位をデータ電位Ｘ[n]として書き込んでもよい。
【００５５】
（２）変形例２  
上述した第２実施形態では、第１期間Ｗ１の開始から第２期間Ｗ２の終了までの期間を第１制御期間Ｔ１とし、フレーム期間Ｆのうち第1制御期間Ｔ１以外の期間を第２制御期間Ｔ２としたが、本発明はこれに限定されるものではなく、第１制御期間Ｔ１は、第１期間Ｗ１の開始から第２期間Ｗ２の終了までの期間の一部又は全部であり、第２制御期間Ｔ２はフレーム期間Ｆのうち第1制御期間Ｔ１以外の期間としてもよい。
上述した第４実施形態では、第１期間Ｗ１の開始から第３期間Ｗ３の終了までの期間を第１制御期間Ｔ１、フレーム期間Ｆのうち第１制御期間Ｔ１以外の期間を第２制御期間Ｔ２としたが、本発明はこれに限定されるものではなく、第１制御期間Ｔ１は、第１期間Ｗ１の開始から第３期間Ｗ３の終了までの期間の一部又は全部であり、第２制御期間Ｔ２はフレーム期間Ｆのうち第1制御期間Ｔ１以外の期間としてもよい。
これらの場合でも、不完全な画像を表示する第１制御期間Ｔ１では、光源７０の輝度を第２制御期間Ｔ２の光源７０の輝度と比較して、低下させるので、表示品質を向上させることができる。変形例２においても、第１制御期間Ｔ１で減灯させた光量を第２制御期間Ｔ２において補うように光源７０の輝度を調整することが好ましい。この場合には、明るさの低下を抑制しながら、解像感を通常の駆動と同等とすることができる。
【００５６】
（３）変形例３  
上述した第２実施形態及び第４実施形態では、第１制御期間Ｔ１を光源７０の輝度を下げ（消灯を含む）、第２制御期間Ｔ２では光源７０の輝度を上げたが、このような調光モードと、光源７０の輝度を一定に維持する通常モードとを備え、これらのモードを手動又は自動で切り替えるようにしてもよい。通常モードでは明るさが優先され、調光モードでは解像度が優先されるところ、画像の種類を制御回路１４で検知して、画像の種類に応じてモードを切り替えてもよい。例えば、静止画では通常モードとし、動画では調光モードとしてもよい。
【００５７】
（４）変形例４  
上述した第２実施形態及び第４実施形態では、第１制御期間Ｔ１を光源７０の輝度を下げ（消灯を含む）、第２制御期間Ｔ２では光源７０の輝度を上げたが、このような調光モードと、光源７０の輝度を一定に維持する通常モードとを備え、これらのモードを手動又は自動で切り替えるようにしてもよい。通常モードでは明るさが優先され、調光モードでは解像度が優先されるところ、画像の種類を制御回路１４で検知して、画像の種類に応じてモードを切り替えてもよい。例えば、静止画では通常モードとし、動画では調光モードとしてもよい。
【００５８】
（５）変形例５  
上述した各実施形態では、第１期間Ｗ１において、奇数番目の走査線と偶数番目の走査線との組みを順次選択してオフ電位Ｖoffを各画素に書き込んだが、本発明はこれに限定されるものではなく、３本以上の走査線の組み順次選択してオフ電位Ｖoffを各画素に書き込んでもよい。例えば、全ての走査線を選択してオフ電位Ｖoffを各画素に書き込んでもよい。さらに、画素ＰIXにおいて、画素電極６２にドレイン又はソースの一方を接続し、ドレイン又はソースの他方に共通電位Ｖcomを供給するトランジスターを設け、全ての画素ＰIXの当該トランジスターをオンさせることにより、オフ電位Ｖoffを各画素に書き込んでもよい。
【００５９】
＜７．応用例＞
以上の各形態に例示した電気光学装置１００Ａ（１００Ｂ、１００Ｃ）は、各種の電子機器に利用され得る。図１４から図１８には、液晶表示装置１０を採用した電子機器の具体的な形態が例示されている。
【００６０】
図１４は、電気光学装置１０を採用した可搬型のパーソナルコンピューターの斜視図である。パーソナルコンピューター２０００は、各種の画像を表示する電気光学装置１０と、電源スイッチ２００１やキーボード２００２が設置された本体部２０１０とを具備する。
【００６１】
図１５は、電気光学装置１０を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【００６２】
図１６は、電気光学装置１０を適用した投射型表示装置（３板式のプロジェクター）４０００の模式図である。投射型表示装置４０００は、相異なる表示色（赤色，緑色，青色）に対応する３個の電気光学装置１０（１０R，１０G，１０B）を含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。観察者は、投射面４００４に投射された立体視画像を立体視用眼鏡２０で視認する。
【００６３】
なお、本発明に係る電気光学装置が適用される電子機器としては、図１４から図１６に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００６４】
１００Ａ、１００Ｂ、１００Ｃ……電気光学装置、１０……液晶表示装置、１２……電気光学パネル、１４……制御回路、１４２……表示制御回路、１４４……眼鏡制御回路、２０……立体視用眼鏡、２２……右眼用シャッター、２４……左眼用シャッター、３０……画素部、ＰIX……画素回路、ＣL……液晶素子、ＳW……選択スイッチ、３２……走査線、３４……データ線、４０……駆動回路、４２……走査線駆動回路、４４……データ線駆動回路。
【図１】
2014063013.tif 000003
【図２】
2014063013.tif 000004
【図３】
2014063013.tif 000005
【図４】
2014063013.tif 000006
【図５】
2014063013.tif 000007
【図６】
2014063013.tif 000008
【図７】
2014063013.tif 000009
【図８】
2014063013.tif 000010
【図９】
2014063013.tif 000011
【図１０】
2014063013.tif 000012
【図１１】
2014063013.tif 000013
【図１２】
2014063013.tif 000014
【図１３】
2014063013.tif 000015
【図１４】
2014063013.tif 000016
【図１５】
2014063013.tif 000017
【図１６】
2014063013.tif 000018
【図１７】
2014063013.tif 000019